(57)【特許請求の範囲】
【請求項１】
第１の記録媒体が装着される第１の装着部と、第２の記録媒体が装着される第２の装着部とを水平方向に並設し、
前記第１の装着部及び前記第２の装着部に前記第１の記録媒体または前記第２の記録媒体の何れか一方の記録媒体が装着されたとき、他方の記録媒体の装着を阻止する同時装着防止機構を設けた記録媒体装着装置において、
前記同時装着防止機構は、
前記第１の装着部及び前記第２の装着部に横架された軸と、
該軸と一体に形成され、前記第１の装着部に装着される前記第１の記録媒体から離間した位置に突出する第１の突出部と、
前記軸と一体に形成され、前記第２の装着部に装着される前記第２の記録媒体に当接する第２の突出部と、を有し、
前記第１の突出部は、前記第１の記録媒体の挿入により回動が規制され、前記第２の突出部を前記第２の記録媒体の装着を阻止する位置に回動させる角度で突出するように設けられ、
前記第２の突出部は、前記第２の記録媒体の挿入により押圧されて回動することにより、前記第１の突出部を前記第１の記録媒体の装着を阻止する位置に回動させる角度で突出するように設けられたことを特徴とする記録媒体装着装置。
【発明の詳細な説明】
【０００１】
【発明の属する技術分野】
本発明は２つの記録媒体が個別に装着されるよう構成された記録媒体装着装置に関する。
【０００２】
【従来の技術】
例えば、デジタルカメラでは、撮影された画像データを装着された記録媒体に記憶させるように構成されている。この種の記録媒体としては、撮影した画像データを保存する手段としてコンパクトフラッシュ、マイクロドライブ（コンパクトフラッシュよりも厚い）または、スマートメディア（コンパクトフラッシュよりも薄くて小さい）と呼ばれている形態の異なる複数種のカード状記録媒体がある。
このように種類の異なる複数のカード状記録媒体が存在するため、例えばコンパクトフラッシュが挿入される第１の挿入部とスマートメディアが挿入される第２の挿入部とを有する記録媒体装着装置が開発されている。
【０００３】
従来の記録媒体装着装置では、第１のカード状記録媒体が挿入される第１の挿入部と第２のカード状記録媒体が挿入される第２の挿入部とが上下方向に重なるように配置されている。
また、上記のような２種類のカード状記録媒体が個別に挿入される記録媒体装着装置においては、例えばパーソナルコンピュータ等に接続される外部記憶ユニット等に組み込まれており、この種の外部記憶ユニットには、コストダウンのため、ＬＳＩが兼用で使用されるようになっている。そのため、２種類のカード状記録媒体に対して同時にデータの読み取り、あるいは書き込みすることができず、何れか一方のカード状記録媒体のみと信号の送受信が行えるようになっている。
【０００４】
従って、記録媒体装着装置では、同時に２種類のカード状記録媒体が挿入されることを防止するため、第１の挿入部または第２の挿入部の何れか一方にカード状記録媒体が挿入されると、他方の挿入部にカード状記録媒体が挿入できないようにする同時装着防止機構が設けられている。
この同時装着防止機構は、揺動部材が第１の挿入部と第２の挿入部との間で揺動可能に設けられており、第１の挿入部または第２の挿入部の何れか一方にカード状記録媒体が挿入されると、揺動部材がカード状記録媒体に押圧されて他方の挿入部側へ揺動して他方の挿入部を閉塞する。
【０００５】
これにより、他方の挿入部にカード状記録媒体が挿入されることが防止されるため、２種類のカード状記録媒体が同時に挿入されることを防止できる。
【０００６】
【発明が解決しようとする課題】
ところが、従来の記録媒体装着装置では、第１の挿入部と第２の挿入部とが上下方向に重なるように配置されているため、高さ方向の寸法が大きくなって薄型化を図ることが難しかった。
【０００７】
また、従来の記録媒体装着装置では、同時装着防止機構の揺動部材が第１の挿入部と第２の挿入部との間で揺動可能に設けられているので、例えば第１の挿入部と第２の挿入部とを左右方向に並列に設けた場合、各挿入部が左右方向に細長く延在するため、揺動部材の回動半径が大きくなり、その分コネクタの取付位置を後退しなければならない。
そのため、従来の記録媒体装着装置においては、揺動部材の設置スペースが大きくなり、装置に小型化に対応できないという問題があった。
【０００８】
そこで、本発明は上記課題を解決した記録媒体装着装置を提供することを目的とする。
【０００９】
【課題を解決するための手段】
本発明は上記課題を解決するため、以下のような特徴を有する。
【００１０】
上記請求項１記載の発明は、第１の記録媒体が装着される第１の装着部と、第２の記録媒体が装着される第２の装着部とを水平方向に並設し、第１の装着部及び第２の装着部に第１の記録媒体または第２の記録媒体の何れか一方の記録媒体が装着されたとき、他方の記録媒体の装着を阻止する同時装着防止機構を設けた記録媒体装着装置において、同時装着防止機構は、第１の装着部及び第２の装着部に横架された軸に第１の突出部及び第２の突出部が一体に設けられ、第１の突出部が第１の記録媒体の挿入により回動が規制されて、第２の突出部を第２の記録媒体の装着を阻止する位置に保持し、第２の突出部が第２の記録媒体に押圧されて回動することにより、第１の突出部を第１の記録媒体の装着を阻止する位置に回動させるものである。
【００１１】
よって、少ない部品点数で第１の記録媒体と第２の記録媒体とが同時に装着されることを防止できると共に、設置スペースが小さくて済み、狭いスペースにも容易に取り付けることができる。
【００１２】
【発明の実施の形態】
以下、図面と共に本発明の一実施例について説明する。
図１は本発明になる記録媒体装着装置の一実施例が適用された外部記憶ユニットを示す斜視図である。
【００１３】
図１に示されるように、外部記憶ユニット１０は、同一の筐体１２内に３種類の記録媒体が装着できるように構成されており、筐体１２の正面１２ａの上段には、第１の挿入口１４と、第２の挿入口１６とが並設されている。このように、第１の挿入口１４と第２の挿入口１６とが並設されているので、上下に重ねる場合よりも装置全体の薄型化が図られている。また、筐体１２の正面１２ａの下段には、第３の挿入口１８が設けられている。
【００１４】
各挿入口１４，１６，１８の内側には、夫々挿入された記録媒体を装着する装着装置（図１では隠れて見えない）が設けられている。また、各挿入口１４，１６，１８は、幅寸法及び高さ寸法が異なっており、夫々挿入される記録媒体の形状に応じた寸法形状に形成されている。
【００１５】
本実施例では、例えば第１の挿入口１４は、スマートメディアと呼ばれているカード状記録媒体の幅寸法及び高さ寸法に対応する寸法形状に形成され、第２の挿入口１６はコンパクトフラッシュまたはマイクロドライブと呼ばれているカード状記録媒体の幅寸法及び高さ寸法に対応する寸法形状に形成され、第３の挿入口１８は、可撓性磁気ディスクが収納されたカートリッジの幅寸法及び高さ寸法に対応する寸法形状に形成されている。
また、第２の挿入口１６及び第３の挿入口１８の側方には、イジェクト釦２０，２２が突出している。
【００１６】
次に第１の挿入口１４及び第２の挿入口１６の内側に設けられた記録媒体装着装置２３について説明する。
図２は記録媒体装着装置２３の構成を示す斜視図である。
【００１７】
図２に示されるように、記録媒体装着装置２３は、第１の挿入口１４から挿入された第１のカード状記録媒体２６が装着される第１の装着部２７と、第２の挿入口１６から挿入された第２のカード状記録媒体２８が装着される第２の装着部２９と、２種類の記録媒体のうち先に挿入された記録媒体を装着可能とすると共に、後から挿入された記録媒体の挿入を阻止して２種類の記録媒体が同時に装着されることを防止する同時装着防止機構３０を有する。
【００１８】
同時装着防止機構３０は、第１の装着部２７及び第２の装着部２９の上方に横架されたストッパ部材３２と、ストッパ部材３２を付勢するトーションバネ３４とからなる。また、ストッパ部材３２は、左右方向（Ｃ，Ｄ方向）に横架された軸３６と、第１の挿入口１４に対向するように突出する第１の突出部３８と、第２の挿入口１６に対向するように突出する第２の突出部４０とが一体成形されている。そのため、同時装着防止機構３０は、ストッパ部材３２を第１の装着部２７と第２の装着部２９とに個別に設ける場合よりも、部品点数が少なくて済み、設置スペースも小さくて済むので、装置の小型化にも対応することができる。
【００１９】
そして、ストッパ部材３２は、軸３６の両端部３６ａ，３６ｂが後述する筐体（図２には図示せず）の側壁に形成された軸受により回動自在に軸承され、且つ中間部分３６ｃが筐体の天板に固定されたシャフトサポート４２により支持されている。
【００２０】
また、第１の装着部２７は、第１のカード状記録媒体２６の電極が接続される第１のコネクタ４４を有する。第２の装着部２９は、第２のカード状記録媒体２８の電極が接続される第２のコネクタ４６を有する。コネクタ４４，４６は、平板状に形成されており、プリント基板４７上に取り付けられている。
【００２１】
図３はストッパ部材３２の構成を示す図であり、（Ａ）は正面図、（Ｂ）は平面図、（Ｃ）は左側面図、（Ｄ）は右側面図である。
図３（Ａ）〜（Ｄ）に示されるように、ストッパ部材３２は、第１の突出部３８と第２の突出部４０とが側方からみると異なる方向に突出している。そして、第２の突出部４０が第２の挿入口１６を閉塞するように垂下方向に向いた状態のとき、第１の突出部３８が水平方向を向くように突出方向の角度がずらしてある。
【００２２】
また、ストッパ部材３２は、軸３６の中間部分３６ｃにシャフトサポート４２により支持される支持部３６ｄ，３６ｅを有し、支持部３６ｄと３６ｅとの間には大径な鍔部３６ｆを有する。この鍔部３６ｆは、シャフトサポート４２に当接して軸方向（Ｃ，Ｄ方向）に移動しないように規制される。
【００２３】
また、第２の突出部４０は、右側面にトーションバネ３４の一端が掛止されるバネ掛止部４０ａが突出している。そして、ストッパ部材３２は、右側方からみるとトーションバネ３４のバネ力により時計方向に付勢されている。そのため、第２の突出部４０は、第２のカード状記録媒体２８が装着されていないときは、常に第２の挿入口１６を閉塞する位置に保持されている。
【００２４】
図４はストッパ部材３２の取付状態を示す正面図である。
図４に示されるように、ストッパ部材３２は、記録媒体装着装置２３の上方を覆うように形成された筐体１２に支持される。すなわち、ストッパ部材３２は、軸３６の両端部３６ａ，３６ｂを筐体１２の側壁１２ａ，１２ｂに形成された軸受部１２ｃ，１２ｄに嵌合して回動可能に支持される。また、ストッパ部材３２の軸３６は、中間部分３６ｃが筐体１２の天板１２ｅに固定されたシャフトサポート４２により回動可能に保持される。
【００２５】
シャフトサポート４２は、軸３６の中間部分３６ｃに突出する鍔部３６ｆを左右方向から挟持するように保持するため、軸３６を回動可能に軸承すると共に、軸方向への移動を規制することができる。
【００２６】
図５はシャフトサポート４２の構成を示す図であり、（Ａ）は平面図、（Ｂ）は正面図、（Ｃ）は側面図、（Ｄ）は取付状態を示す縦断面図である。
【００２７】
図５（Ａ）〜（Ｄ）に示されるように、シャフトサポート４２は、筐体１２の天板１２ｅに設けられた取付台１２ｆに固定される取付ベース４２ａと、取付ねじ５０が挿通される挿通孔４２ｂと、取付ベース４２ａより水平方向（Ｂ方向）に延在する一対の腕部４２ｃ，４２ｄと、一対の腕部４２ｃ，４２ｄ間に形成された溝１２ｅと、取付台１２ｆより突出する位置規制ピン１２ｇが嵌合する孔４２ｇとを有する。
【００２８】
ストッパ部材３２の中間部分３６ｃの支持部３６ｄ，３６ｅは、シャフトサポート４２の一対の腕部４２ｃ，４２ｄに載置されて支持される。また、ストッパ部材３２の中間部分３６ｃの鍔部３６ｆは、一対の腕部４２ｃ，４２ｄ間に形成された溝１２ｅに嵌合することにより回動可能に支持され、且つ腕部４２ｃ，４２ｄの側面に当接して軸方向への移動が制限される。
【００２９】
図６（Ａ）〜（Ｃ）はストッパ部材３２の取付手順を説明するための図である。
【００３０】
図６（Ａ）に示されるように、手順▲１▼では、ストッパ部材３２の軸３６の左側端部３６ａを筐体１２の側壁１２ａに形成された軸受部１２ｃに挿入した状態で左方向（Ｃ方向）へ移動させる。
【００３１】
図６（Ｂ）に示されるように、手順▲２▼では、ストッパ部材３２の軸３６を右方向（Ｄ方向）に移動させて右側端部３６ｂを筐体１２の側壁１２ｂに形成された軸受部１２ｄに挿入させる。続いて、シャフトサポート４２をストッパ部材３２の中間部分３６ｃに当接させ、中間部分３６ｃの支持部３６ｄ，３６ｅがシャフトサポート４２の一対の腕部４２ｃ，４２ｄに載置され、且つ鍔部３６ｆが溝１２ｅに嵌合される。
【００３２】
図６（Ｃ）に示されるように、手順▲３▼では、ストッパ部材３２の中間部分３６ｃに当接されたシャフトサポート４２に取付ねじ５０を挿通すると共に、筐体１２の天板１２ｅに設けられた取付台１２ｆに螺入してシャフトサポート４２を取付台１２ｆに固定する。
【００３３】
このように、ストッパ部材３２は、軸３６の両端部３６ａ，３６ｂを軸受部１２ｃ，１２ｄに挿入させた後、シャフトサポート４２を取付ねじ５０で固定するだけで、容易に取り付けることができる。
【００３４】
図７はストッパ部材３２の取付状態を右側方からみた側面図である。
【００３５】
図７に示されるように、ストッパ部材３２は、トーションバネ３４により時計方向（Ｅ方向）に付勢されているので、第２のカード状記録媒体２８が装着されていないときは、第１の突出部３８の上面が筐体１２の内壁に形成された段部１２ｈに当接して停止している。従って、第２のカード状記録媒体２８が装着されていないとき、第１の突出部３８は第１の挿入口１４の上方に位置しており、第２の突出部４０は、第２の挿入口１６を閉塞する位置に保持されている。そのため、第２の挿入口１６は、第２のコネクタ４６に塵埃が侵入しないように第２の突出部４０により閉塞されている。
【００３６】
ここで、上記のように構成された記録媒体装着装置２３の動作について説明する。
【００３７】
図８は第２のカード状記録媒体２８が先に装着された状態を示す斜視図である。図９は第１のカード状記録媒体２６が先に装着された状態を示す斜視図である。図１０はストッパ部材３２の動作を示す図であり、（Ａ）は動作前の側面図、（Ｂ）は第２のカード状記録媒体２８が先に装着された状態を示す側面図、（Ｃ）は第１のカード状記録媒体２６が先に装着された状態を示す側面図である。
【００３８】
図８及び図１０（Ａ）（Ｂ）に示されるように、第２のカード状記録媒体２８が先に第２の装着部２９に装着されると、ストッパ部材３２は、第２の突出部４０が第２のカード状記録媒体２８の挿入側端部に押圧されて反時計方向（Ｆ方向）に回動する。
【００３９】
このように、ストッパ部材３２が反時計方向（Ｆ方向）に回動すると、第１の突出部３８は第１の挿入口１４を閉塞する位置に回動する。そのため、第２のカード状記録媒体２８が第２の装着部２９に装着された状態で第１のカード状記録媒体２６を第１の挿入口１４に挿入しようとすると、第１のカード状記録媒体２６の挿入側端部が第１の突出部３８に当接して挿入が阻止される。
【００４０】
従って、記録媒体装着装置２３では、ストッパ部材３２が反時計方向（Ｆ方向）に回動することにより、２種類のカード状記録媒体２６，２８が同時に装着されることが防止される。
【００４１】
図９及び図１０（Ａ）（Ｃ）に示されるように、第１のカード状記録媒体２６が先に第１の装着部２７に装着されると、ストッパ部材３２は、第１の突出部３８の挿入位置よりも上方に位置しているので、挿入前と同じ位置にある。
【００４２】
このように、第１の突出部３８の下方に第１のカード状記録媒体２６が挿入されていると、ストッパ部材３２は反時計方向（Ｆ方向）に回動することができない。そのため、第１のカード状記録媒体２６が第１の装着部２７に装着された状態で第２のカード状記録媒体２８を第２の挿入口１６に挿入すると、第２のカード状記録媒体２８の挿入側端部が第２の突出部４０に当接して挿入が阻止される。
【００４３】
従って、記録媒体装着装置２３では、第１のカード状記録媒体２６が第１の装着部２７に装着された場合、第１の突出部３８が第１のカード状記録媒体２６の上面に当接するため、ストッパ部材３２が反時計方向（Ｆ方向）に回動することできず、２種類のカード状記録媒体２６，２８が同時に装着されることが防止される。
【００４４】
上記実施例では、外部記憶ユニット１０の筐体１２内に３種類の記録媒体が装着できるように構成されているが、これに限らず、上記実施例に記載した記録媒体以外の他の形式の記録媒体が装着される構成にも本発明が適用できるのは勿論である。
【００４５】
また、外部記憶ユニット１０では、磁気ディスクカートリッジも装着できる構成としたが、これに限らず、少なくとも２種類のカード状記録媒体２６，２８が装着できる構成であれば良い。
図１１は変形例を示す斜視図である。
図１１に示されるように、変形例の外部記憶ユニット５２は、同一の筐体５４内に２種類のカード状記録媒体２６，２８の何れか一方のみが装着できるように構成されており、筐体５４の正面５４ａには、第１の挿入口１４と、第２の挿入口１６とが並設されている。このように、第１の挿入口１４と第２の挿入口１６とが並設されているので、上下に重ねる場合よりも装置全体の薄型化が図られている。
【００４６】
また、上記実施例では、寸法形状の異なる２種類のカード状記録媒体２６，２８が装着される場合を一例として挙げたが、これに限らず、カード状記録媒体以外の記録媒体が装着される装置にも適用できるのは勿論である。
また、上記実施例では、寸法形状の異なる２種類のカード状記録媒体２６，２８が装着される場合を一例として挙げたが、これに限らず、同一形状の２つの記録媒体が装着されるよう構成された装置にも適用できるのは勿論である。
【００４７】
【発明の効果】
上述の如く、請求項１記載の発明によれば、第１の装着部及び第２の装着部に横架された軸に第１の突出部及び第２の突出部が一体に設けられ、第１の突出部が第１の記録媒体の挿入により回動が規制されて、第２の突出部を第２の記録媒体の装着を阻止する位置に保持し、第２の突出部が第２の記録媒体に押圧されて回動することにより、第１の突出部を第１の記録媒体の装着を阻止する位置に回動させるため、第１の記録媒体と第２の記録媒体とが同時に装着されることを防止できる。
【００４８】
また、少ない部品点数で第１の記録媒体と第２の記録媒体とが同時に装着されることを防止できる。
【００４９】
また、設置スペースが小さくて済み、狭いスペースにも容易に取り付けることができる。
【図面の簡単な説明】
【図１】本発明になる記録媒体装着装置の一実施例が適用された外部記憶ユニットを示す斜視図である。
【図２】記録媒体装着装置２３の構成を示す斜視図である。
【図３】ストッパ部材３２の構成を示す図であり、（Ａ）は正面図、（Ｂ）は平面図、（Ｃ）は左側面図、（Ｄ）は右側面図である。
【図４】ストッパ部材３２の取付状態を示す正面図である。
【図５】シャフトサポート４２の構成を示す図であり、（Ａ）は平面図、（Ｂ）は正面図、（Ｃ）は側面図、（Ｄ）は取付状態を示す縦断面図である。
【図６】ストッパ部材３２の取付手順を説明するための図である。
【図７】ストッパ部材３２の取付状態を右側方からみた側面図である。
【図８】第２のカード状記録媒体２８が先に装着された状態を示す斜視図である。
【図９】第１のカード状記録媒体２６が先に装着された状態を示す斜視図である。
【図１０】ストッパ部材３２の動作を示す図であり、（Ａ）は動作前の側面図、（Ｂ）は第２のカード状記録媒体２８が先に装着された状態を示す側面図、（Ｃ）は第１のカード状記録媒体２６が先に装着された状態を示す側面図である。
【図１１】変形例を示す斜視図である。
【符号の説明】
１０，５２  外部記憶ユニット
１２，５４  筐体
１４  第１の挿入口
１６  第２の挿入口
１８  第３の挿入口
２３  記録媒体装着装置
２４  同時装着防止機構
２６  第１のカード状記録媒体
２７  第１の装着部
２８  第２のカード状記録媒体
２９  第２の装着部
３０  同時装着防止機構
３２  ストッパ部材
３４  トーションバネ
３６  軸
３８  第１の突出部
４０  第２の突出部
４２  シャフトサポート
４４  第１のコネクタ
４６  第２のコネクタ
【図１】
0003674506.tif 000002
【図２】
0003674506.tif 000003
【図３】
0003674506.tif 000004
【図４】
0003674506.tif 000005
【図５】
0003674506.tif 000006
【図６】
0003674506.tif 000007
【図７】
0003674506.tif 000008
【図８】
0003674506.tif 000009
【図９】
0003674506.tif 000010
【図１０】
0003674506.tif 000011
【図１１】
0003674506.tif 000012